(57)【要約】【課題】雨除けを提供する。【解決手段】雨除け（１０）は、複数の支持部材（１２）と、支持部材に勾配を有するように支持されたシート（１４）とを備える。シートは合成繊維製の織物からなる。織物は霧雨の通過を阻止し得る大きさの目開きを有する。【選択図】図１
2020066957.tif 000002
【特許請求の範囲】
【請求項１】
複数の支持部材と、該支持部材に勾配を有するように支持されたシートとを備え、
前記シートは合成繊維製の織物からなり、
前記織物は霧雨の通過を阻止し得る大きさの目開きを有する、雨除け。
【請求項２】
前記シートは複数の織物からなり、
複数の織物はこれらの織り糸が互いに立体交差するように互い違いに重ね合わされている、請求項１に記載の雨除け。
【請求項３】
前記織物の織り糸は撚糸からなる、請求項１又は２に記載の雨除け。
【請求項４】
前記織物の織り糸は撥水コーティングを施されている、請求項１〜３のいずれか１項に記載の雨除け。
【請求項５】
前記雨除けは片流れの屋根の形態又は切妻屋根の形態を有する、請求項１〜４のいずれか１項に記載の雨除け。
【請求項６】
前記雨除けの適用対象は、屋外の通路、建築途上の建物、又は土木の工事個所である、請求項１〜５のいずれか１項に記載の雨除け。
【発明の詳細な説明】
【技術分野】
【０００１】
本発明は、雨よけに関する。
【背景技術】
【０００２】
従来、日除けのためにネット（網）を用いることが提案されているが、これを雨除けのために使用することについての構想及び提案はない。
【先行技術文献】
【特許文献】
【０００３】
【特許文献１】特開２００９−２０９６０３号公報
【発明の概要】
【発明が解決しようとする課題】
【０００４】
本発明は、雨除けを提供する。
【課題を解決するための手段】
【０００５】
本発明に係る雨除けは、複数の支持部材と、該支持部材に勾配を有するように支持されたシートとを備える。前記シートは合成繊維製の織物からなり、前記織物は霧雨の通過を阻止し得る大きさの目開きを有する。前記雨除けは、雨除けの対象に応じて、片流れの屋根の形態又は切妻屋根の形態を有するものとすることができる。片流れの屋根の形態の雨除けは、例えば通行人の利便に供すべく屋外の通路上に配置される。また、切妻屋根の形態の雨除けは、例えば雨天時におけるコンクリートの打設作業を可能にする仮設の屋根とすべく、建築途上にある建物上、より詳細には前記建物のコンクリート打設空間上や、土木の工事個所上に配置される。
【０００６】
本発明に係る雨除けにあっては、そのシートを構成する織物が霧雨の通過を阻止し得る大きさの目開きを有する。このことから、前記シート上に降る霧雨は、その雨滴が前記目開きを規定する目（網目）においてその表面張力により通過を阻止され、これにより前記シート上に一旦受け止められ、前記シート上をその斜面に沿って流れ落ちる。また、前記シートはその目を通しての空気の流通を許し、また、日光の通過を制限する機能を併せ有することから、前記シート下の空間の風通しを良くし、また、日差しを緩和する働きをなす。
【０００７】
また、織り糸が互いに立体交差するように互い違いに重ね合わされた複数の織物からなるシートにあっては、重ね合わされた複数の織物が単一の織物と比べて大きい厚さを有し、また、より小さい目開きを形成する。これによれば、霧雨（雨滴の直径：０．１〜０．５ｍｍ未満）より大きい雨滴を有する例えば小雨（雨滴の直径：０．５〜１．０ｍｍ未満）の落下衝撃に耐え、これを通さないものとすることができる。さらに、前記シートは、比較的重量が小さく、また、折り畳みあるいは巻き取りが可能であることから、強風時、台風時、降雪時等における一時的な撤去を比較的容易にまた短時間のうちに行うことが可能である。
【０００８】
さらに、前記織物の織り糸が撚糸からなるものとし、あるいは、撥水コーティングを施されたものとすることができる。これによれば、それぞれ、前記織り糸が凹凸の表面形状を有し、前記凹凸の表面が前記織り糸の撥水性を高め、前記織物の遮水能力を高める働きをなす。
【図面の簡単な説明】
【０００９】
【図１】屋外の通路上に配置された雨除けを示す概略的な斜視図である。
【図２】建築途上にある建物上に配置された雨除けを示す概略的な斜視図である。
【図３】図２に示す建築途上の建物の柱に対する雨除けの支持部材の取付構造の一例を示す概略的な部分立面図である。
【図４】図３に示す取付構造の概略的な横断面図である。
【発明を実施するための形態】
【００１０】
図１及び図２を参照すると、本発明の２つの実施形態に係る雨除けがそれぞれ全体に符号１０で示されている。
【００１１】
雨除け１０は、複数の支持部材１２と、該支持部材に勾配を有するように支持されたシート１４とを備える。図１に示す例において、雨除け１０は片流れの屋根の形態を有する。図１に示す雨除け１０は、その適用対象の一例である屋外の通路１６上に配置されている。また、図２に示す例において、雨除け１０は切妻屋根の形態を有する。図２に示す雨除け１０は、建築途上にある建物１８上、土木の工事個所（図示せず）上等に配置され、仮設の屋根とされる。
【００１２】
図１に示す雨除け１０の支持部材１２は支柱からなり、通路１６の伸長方向へ互いに間隔をおいて、また、通路１６の幅方向へ互いに間隔をおいて、２列に配置されている。図上において手前の側に位置する一の列の支柱（以下、必要に応じて「支柱１２」と表記する。）は、図上において奥の側に位置する他の列の複数の支柱１２より低い高さを有する。シート１４は、任意の固定手段（図示せず）を介して、好ましくは解除可能に、各支柱１２の頂部に固定されている。これにより、シート１４は前記奥の側から前記手前の側に向けて下方に傾斜している。図示の例において、シート１４は通路１６の幅（道幅）より大きい幅寸法を有し、その一部が、前記一の列の複数の支柱１２から前記手前の側に張り出し、また、前記他の列の複数の支柱１２から前記奥の側に向けて張り出している。
【００１３】
また、図２に示す雨除け１０が配置された建物１８は、配筋が施されコンクリートが未打設の状態にある複数（図示の例においては１２本）の柱２０と、これらの柱２０に連なる床スラブ２２とを有する。
【００１４】
雨除け１０を構成する複数の支持部材１２は、建物１８の梁間方向へそれぞれ伸びる複数（図示の例において３つ）のトラスと、建物１８の桁行方向へそれぞれ伸びる複数（図示の例において５つ）のトラス（以下、必要に応じて「トラス１２」と表記する。）とからなる。また、雨除け１０を構成するシート１４は、図１に示す例におけると同様、任意の固定手段（図示せず）を介して、好ましくは解除可能に、各トラス１２の頂部に固定されている。これにより、シート１４は前記梁間方向に関して互いに反対側へ傾斜し、雨除け１０は切妻屋根の形態を呈している。
【００１５】
雨除け１０は、前記梁間方向へ伸びる図上の３つのトラス１２において、また、１２個の取付部材２８（取付部材２８については図３及び図４を参照して後述する。）を介して、１２本の全部の柱２０に解除可能に取り付けられ、全部の柱２０及び床スラブ２２をこれらの上から覆っている。この例に代えた他の例として、雨除け１０は、前記梁間方向へ伸びる図上の３つのトラス１２において、前記梁間方向における両端に位置する少なくとも２列６本の柱２０に少なくとも６個の取付部材２８を介して取り付けられるものとすることができる。
【００１６】
前記した１２個の取付部材２８（そのうちの１つのみを図３に代表的に示す。）は、それぞれ、前記梁間方向へ伸びる図上の３つのトラス１２のそれぞれの両端部の２か所と該両端部間の２か所（合計１２か所）（そのうちの一箇所（一端部）のみを図３に示す。）とに配置され、かつ、これらの下面に固定されている。なお、前記他の例においては、前記６個の取付部材２８は、それぞれ、前記梁間方向へ伸びる３つのトラス１２のそれぞれの両端部の２か所（合計６か所）に配置される。
【００１７】
図３及び図４に示すように、取付部材２８は、正方形の横断面形状を有する扁平な筒体３０と、筒体３０の内部底面に等間隔に植え込まれ、筒体３０の内部を該筒体の開口に向けて下方へ伸びる多数の尖ったピン３２とからなる。取付部材２８はその筒体３０が建物１８の柱２０の頂部を受け入れるようにこれに被せられ、その多数のピン３２が柱２０の複数の主筋２０ａのそれぞれをその周りから挟持している。これにより、前記梁間方向へ伸びる図上の３つのトラス１２を介して、雨除け１０が図上の全部の柱２０又は少なくとも２列６本の柱２０に取り外し可能に取り付けられている。なお、符号２０ｂは複数の主筋２０ａの周囲を取り巻く複数の帯筋の一部を示す。
【００１８】
雨除け１０のシート１４はポリエステル繊維のような合成繊維製の織物からなる。前記織物は霧雨の通過を阻止し得る大きさの目開きを有する。霧雨は、気象学上、その雨滴が０．１〜０．５ｍｍ未満の直径を有するものと定義されている。
【００１９】
再び図１を参照すると、シート１４を構成する前記織物は平織からなる織物組織を有する。したがって、前記織物は、互いに直交し多数の正方形状の目（網目又は開口）３４を規定する多数の緯糸３６及び経糸３８を有する（図１参照）。図示の例に代えて、前記織物は、例えば、互いに非直角の角度で交差し、菱形の目を規定する多数の緯糸及び経糸を有する綾織からなるものとすることができる。
【００２０】
前記織物は、霧雨の通過を阻止し得る大きさの目開き、すなわち緯糸３６相互間又は経糸３８相互間の距離（前記正方形の一辺の長さ）を有する。前記織物の目開きの大きさは、霧雨の水滴（雨滴）の直径である０．１ｍｍ〜０．５ｍｍの範囲内における任意の値に設定されている。前記織物は、例えば、４０メッシュ又は５０メッシュを有するもの、すなわち１インチ（２５．４ｍｍ）当たり４０個又は５０個の目３４を有し、かつ、織り糸（緯糸３６及び経糸３８）が０．１〜０．１４ｍｍの範囲内の任意の直径を有するものとすることができる。
【００２１】
これによれば、前記目開きの設定値以上の直径を有する雨滴は、シート１４上に落下するとき、シート１４の目３４にその表面張力により水膜を形成する。シート１４の目３４を埋める水膜はその下方から作用する大気圧を受けて目３４内に保持される。これにより、シート１４の目３４を通しての雨滴の通過が妨げられる。その結果、シート１４上に降る霧雨は、傾斜するシート１４を流れ落ちる。また、シート１４は、特に晴天時、その目３４を通しての空気の流通を許し、また、日光の通過を制限する機能を併せ有することから、シート１４下の空間の風通しを良くし、また、日差しを緩和する働きをなす。
【００２２】
これによれば、図１に示す雨除け１０にあっては、霧雨が降る雨天時における傘の使用を不要とすることができる。また、図２に示す雨除け１０にあっては、前記雨天時における柱２０及び床スラブ２２上への降雨の回避と、これによるコンクリートの打設とが可能とされる。なお、図１に示す雨除け１０は、これを片流れの屋根の形態とする図示の例に代えて、切妻屋根の形態とすることができる。また、逆に、図２に示す雨除け１０は、これを切妻屋根の形態とする図示の例に代えて、片流れの屋根の形態とすることができる。さらに、本発明に係る前記雨除けは、図示の例のほか、例えば、運動会のような屋外での催しにおいて設置される天幕としての使用が可能である。
【００２３】
また、シート１４は、織り糸（緯糸３６及び経糸３８）が互いに立体交差するように互い違いに重ね合わされた複数の織物、すなわち２枚以上の織物からなるものとすることができる。重ね合わされた複数の織物は、図１及び図２に示す単一（１枚）の織物と比べて、大きい厚さを有し、また、より小さい目開きを形成する。これによれば、シート１４は、霧雨に比べて雨滴の直径がより大きい、したがってより重い例えば小雨（雨滴の直径：０．５〜１．０ｍｍ未満）の水滴の落下衝撃に耐え、これを通さないものとすることができる。
【００２４】
シート１４は、また、比較的重量が小さく、また、折り畳みあるいは巻き取りが可能である。このことから、強風時、台風時、降雪時等に、シート１４のみを比較的容易にまた短時間のうちに一時的に撤去することができ、これにより、シート１４の飛散、破損等を回避することができる。
【００２５】
さらに、前記織物の織り糸（緯糸３６及び経糸３８）が例えば数十本のポリエステル繊維を撚ってなる撚糸からなるものとすることができる。これによれば、前記撚糸からなる織り糸（緯糸３６及び経糸３８）はその表面上に多数の微細な凹凸を有し、これが前記表面張力を生じやすくする働きをなす。また、織り糸（前記撚糸を含む。）は、これに撥水コーティングを施されたものとすることができる。前記撥水コーティングもまた前記織り糸の表面に多数の微細な凹凸を形成する。
【符号の説明】
【００２６】
１０  雨除け
１２  支持部材
１４  シート
１６  屋外の通路
１８  建築途上の建物
【図１】
2020066957.tif 000003
【図２】
2020066957.tif 000004
【図３】
2020066957.tif 000005
【図４】
2020066957.tif 000006